(57)【要約】【課題】ユーザの嗜好を刺激するサービスを提供すること。【解決手段】移動通信システム１００は、検出部１１１と、を備えている。検出部１１１は、移動端末１２０が所定の条件を満たしたことを検出する。無線通信制御部１１２は、検出部１１１が所定の条件を満たしたことを検出すると、移動端末１２０に対して所定の無線通信サービスを提供する。無線通信制御部１１２は、検出部１１１が所定の条件を満たしたことを検出すると、移動端末１２０とは異なる移動端末１３０に対して所定の無線通信サービスを提供する。【選択図】図１
2010165085.tif 000002
【特許請求の範囲】
【請求項１】
移動通信システムにおいて、
第１の移動端末が所定の条件を満たしたことを検出する検出部と、
前記検出部が前記所定の条件を満たしたことを検出すると、前記第１の移動端末に対して所定の無線通信サービスを提供する無線通信制御部と、を備え、
前記無線通信制御部は、前記検出部が前記所定の条件を満たしたことを検出すると、前記第１の移動端末とは異なる第２の移動端末に対して所定の無線通信サービスを提供することを特徴とする移動通信システム。
【請求項２】
前記第２の移動端末に対して提供する無線通信サービスは、前記第１の移動端末に対して提供する無線通信サービスと同じ無線通信サービスであることを特徴とする請求項１に記載の移動通信システム。
【請求項３】
前記第２の移動端末は、前記第１の移動端末が所定の条件を満足したことを前記検出部が検出するよりも前に前記第１の移動端末と関連付けがなされていることを特徴とする請求項１に記載の移動通信システム。
【請求項４】
前記第１の移動端末に対して提供する所定の無線通信サービスまたは前記第２の移動端末に対して提供する無線通信サービスは、静止画または動画像のコンテンツ情報の配信であることを特徴とする請求項１に記載の移動通信システム。
【請求項５】
前記無線通信制御部は、暗号化処理が施されて放送される静止画または動画像のコンテンツ情報について暗号の復号を行う際に用いられる鍵情報を前記第１の移動端末または前記第２の移動端末に対して送信することで、前記第１の移動端末または前記第２の移動端末に対して前記所定の無線通信サービスの提供を行うことを特徴とする請求項１に記載の移動通信システム。
【請求項６】
前記第１の移動端末に対する前記所定の無線通信サービスが所定の無線エリア内で適用される場合に、前記第２の移動端末に対する前記所定の無線通信サービスも前記所定の無線エリア内で提供されることを特徴とする請求項１に記載の移動通信システム。
【請求項７】
移動通信システムにおいて、
移動端末が過去において特定エリアに位置していたことを検出する検出部と、
前記検出部によって前記特定エリアに位置していたことが検出された移動端末に対して所定の無線通信サービスを提供する無線通信制御部と、
を備えることを特徴とする移動通信システム。
【請求項８】
移動通信方法において、
第１の移動端末が所定の条件を満たしたことを検出する検出工程と、
前記検出工程が前記所定の条件を満たしたことを検出すると、前記第１の移動端末に対して所定の無線通信サービスを提供する無線通信制御工程と、を含み、
前記無線通信制御工程では、前記検出工程において前記所定の条件を満たしたことを検出すると、前記第１の移動端末とは異なる第２の移動端末に対して所定の無線通信サービスを提供することを特徴とする移動通信方法。
【請求項９】
通信装置において、
第１の移動端末が所定の条件を満たしたことを検出する検出部と、
前記検出部が前記所定の条件を満たしたことを検出すると、前記第１の移動端末に対して所定の無線通信サービスを提供する無線通信制御部と、を備え、
前記無線通信制御部は、前記検出部が前記所定の条件を満たしたことを検出すると、前記第１の移動端末とは異なる第２の移動端末に対して所定の無線通信サービスを提供することを特徴とする通信装置。
【請求項１０】
移動端末において、
前記移動端末が過去において特定エリアに位置していた場合に通信装置から所定の無線通信サービスの提供を受けることを特徴とする移動端末。
【発明の詳細な説明】
【技術分野】
【０００１】
本発明は、通信を行う移動通信システム、移動通信方法、通信装置および移動端末に関する。
【背景技術】
【０００２】
近年、地上波デジタル放送が開始され、同時に携帯電話などのモバイル機器などに向けたワンセグ放送が開始されている。また、ＶＨＦ（Ｖｅｒｙ  Ｈｉｇｈ  Ｆｒｅｑｕｅｎｃｙ：超短波）帯においてもモバイル機器向け放送のサービスが計画されている。デジタル放送においては、従来のように屋内で視聴するだけでなく、屋外においても放送コンテンツサービスを享受することが可能となってきている。
【０００３】
また、移動通信の分野においても、回線の高速化に伴い、従来は屋内の有線が届く場所に限られていたサービスフィールドが屋外にまで提供可能な環境が揃いつつある。このように、無線の特性を活かした、いつでもどこでも誰でもサービス享受が可能な環境が整備されている。また、コンテンツの配信サービスの一例として、たとえば、家庭での番組視聴環境と同一の環境を旅先のホテル等の宿泊施設においても構築することのできるコンテンツ配信システムを実現する技術がある（たとえば、下記特許文献１参照。）。
【先行技術文献】
【特許文献】
【０００４】
【特許文献１】特開２００１−３４５７６６号公報
【発明の概要】
【発明が解決しようとする課題】
【０００５】
しかしながら、上述した従来技術では、いつでもどこでも誰でもサービス享受が可能である反面、各ユーザに対するサービス提供が一様となるため、ユーザにとってサービスの魅力が低下することが考えられる。このため、従来技術では、サービス提供によってユーザの嗜好を刺激することが困難であるという問題がある。
【０００６】
本発明の一側面では、ユーザの嗜好を刺激するサービスの提供を目的とする。
【課題を解決するための手段】
【０００７】
第１の案では、第１の移動端末が所定の条件を満たしたことを検出する検出部と、前記検出部が前記所定の条件を満たしたことを検出すると、前記第１の移動端末に対して所定の無線通信サービスを提供する無線通信制御部と、を備え、前記無線通信制御部は、前記検出部が前記所定の条件を満たしたことを検出すると、前記第１の移動端末とは異なる第２の移動端末に対して所定の無線通信サービスを提供することを特徴とする移動通信システムを用いることとする。
【０００８】
好ましくは、前記第２の移動端末に対して提供する無線通信サービスは、前記第１の移動端末に対して提供する無線通信サービスと同じ無線通信サービスとする。
【０００９】
好ましくは、前記第２の移動端末は、前記第１の移動端末が所定の条件を満足したことを前記検出部が検出するよりも前に前記第１の移動端末と関連付けがなされていることとする。
【００１０】
好ましくは、前記第１の移動端末に対して提供する所定の無線通信サービスまたは前記第２の移動端末に対して提供する無線通信サービスは、静止画または動画像のコンテンツ情報の配信であることとする。
【００１１】
好ましくは、前記無線通信制御部は、暗号化処理が施されて放送される静止画または動画像のコンテンツ情報について暗号の復号を行う際に用いられる鍵情報を前記第１の移動端末または前記第２の移動端末に対して送信することで、前記第１の移動端末または前記第２の移動端末に対して前記所定の無線通信サービスの提供を行う。
【００１２】
好ましくは、前記第１の移動端末に対する前記所定の無線通信サービスが所定の無線エリア内で適用される場合に、前記第２の移動端末に対する前記所定の無線通信サービスも前記所定の無線エリア内で提供される。
【００１３】
第２の案では、移動通信システムにおいて、移動端末が過去において特定エリアに位置していたことを検出する検出部と、前記検出部によって前記特定エリアに位置していたことが検出された移動端末に対して所定の無線通信サービスを提供する無線通信制御部と、を備えることを特徴とする移動通信システムを用いることとする。
【００１４】
第３の案では、移動通信方法において、第１の移動端末が所定の条件を満たしたことを検出する検出工程と、前記検出工程が前記所定の条件を満たしたことを検出すると、前記第１の移動端末に対して所定の無線通信サービスを提供する無線通信制御工程と、を含み、前記無線通信制御工程では、前記検出工程において前記所定の条件を満たしたことを検出すると、前記第１の移動端末とは異なる第２の移動端末に対して所定の無線通信サービスを提供することを特徴とする移動通信方法を用いることとする。
【００１５】
第４の案では、通信装置において、第１の移動端末が所定の条件を満たしたことを検出する検出部と、前記検出部が前記所定の条件を満たしたことを検出すると、前記第１の移動端末に対して所定の無線通信サービスを提供する無線通信制御部と、を備え、前記無線通信制御部は、前記検出部が前記所定の条件を満たしたことを検出すると、前記第１の移動端末とは異なる第２の移動端末に対して所定の無線通信サービスを提供することを特徴とする通信装置を用いることとする。
【００１６】
第５の案では、移動端末において、前記移動端末が過去において特定エリアに位置していた場合に通信装置から所定の無線通信サービスの提供を受けることを特徴とする移動端末を用いることとする。
【発明の効果】
【００１７】
本発明によれば、ユーザの嗜好を刺激するサービスを提供することができるという効果を奏する。
【図面の簡単な説明】
【００１８】
【図１】実施の形態１にかかる移動通信システムの構成を示すブロック図である。
【図２】実施の形態２にかかる移動通信システムの構成を示すブロック図である。
【図３】図２に示した移動通信システムの動作の一例を示すシーケンス図である。
【図４】図２に示した管理部を具体的に示す図である。
【図５】図２に示した履歴データベースを具体的に示す図である。
【図６】サービスコンテンツの提供方法の一例を示すシーケンス図である。
【図７】図６に示した鍵情報の一例を示す図である。
【図８】図２に示した通信装置の動作の一例を示すフローチャートである。
【図９】移動通信システムの実施例１を示す図である。
【図１０】移動通信システムの実施例２を示す図である。
【図１１】移動通信システムの実施例３を示す図である。
【図１２】図８に示した動作の変形例１を示すフローチャートである。
【図１３】図８に示した動作の変形例２を示すフローチャートである。
【図１４】図１に示した移動通信システムの変形例を示すブロック図である。
【発明を実施するための形態】
【００１９】
以下に添付図面を参照して、この移動通信システム、移動通信方法、通信装置および移動端末の好適な実施の形態を詳細に説明する。この実施の形態においては、特定のユーザに特化したサービス提供を行うことで、ユーザに対するプレミアム感を向上させる。これにより、たとえば、ヘビーユーザや重要顧客を囲い込むマーケティングが可能になる。
【００２０】
（実施の形態１）
図１は、実施の形態１にかかる移動通信システムの構成を示すブロック図である。図１に示すように、実施の形態１にかかる移動通信システム１００は、通信装置１１０と、移動端末１２０と、移動端末１３０と、を含んでいる。通信装置１１０は、移動端末１２０および移動端末１３０との間でそれぞれ無線通信が可能な装置である。通信装置１１０は、たとえば無線通信のネットワーク側の装置（基地局）である。
【００２１】
通信装置１１０は、検出部１１１と、無線通信制御部１１２と、を備えている。検出部１１１は、移動端末１２０が所定の条件を満たしたことを検出する。たとえば、所定の条件は、移動端末が過去において特定エリアに位置していたことである。具体的には、所定の条件は、移動端末が過去において特定エリアに位置していた回数が所定回数以上であってもよい。検出部１１１は、移動端末１２０が所定の条件を満たしたことを検出すると無線通信制御部１１２へ検出信号を出力する。
【００２２】
無線通信制御部１１２は、検出部１１１から検出信号が出力されると、移動端末１２０に対して所定の無線通信サービスを提供する。無線通信制御部１１２が移動端末１２０に対して提供する所定の無線通信サービスは、たとえばサービスコンテンツの配信である。サービスコンテンツは、たとえば静止画または動画像のコンテンツ情報である。
【００２３】
また、無線通信制御部１１２は、検出部１１１から検出信号が出力されると、移動端末１２０とは異なる移動端末１３０に対して所定の無線通信サービスを提供する。無線通信制御部１１２が移動端末１３０に対して提供する所定の無線通信サービスは、たとえば、無線通信制御部１１２が移動端末１２０に対して提供する所定の無線通信サービスと同じ無線通信サービスである。
【００２４】
たとえば、無線通信制御部１１２は、暗号化処理が施されて放送される静止画または動画像のコンテンツ情報について暗号の復号を行う際に用いられる鍵情報を移動端末１２０または移動端末１３０に対して送信する。これにより、無線通信制御部１１２は、移動端末１２０または移動端末１３０に対して所定の無線通信サービスの提供を行う。
【００２５】
移動端末１３０は、移動端末１２０が所定の条件を満足したことを検出部１１１が検出するよりも前に移動端末１２０と関連付けがなされている。たとえば、移動端末１３０を示す識別情報が、移動端末１２０を示す識別情報と対応付けられて通信装置１１０の図示しないメモリにあらかじめ記憶されている。
【００２６】
そして、無線通信制御部１１２は、移動端末１２０が所定の条件を満足したことを検出部１１１が検出すると、移動端末１２０の識別情報に対応付けられた識別情報を検索し、検索した識別情報が示す移動端末１３０へ所定の無線通信サービスの提供を行う。
【００２７】
たとえば、無線通信制御部１１２は、暗号化処理が施されて放送される静止画または動画像のコンテンツ情報について暗号の復号を行う際に用いられる鍵情報を移動端末１２０または移動端末１３０に対して送信する。移動端末１２０または移動端末１３０は、受信した鍵情報を用いて所定の無線通信サービスの提供を受ける。
【００２８】
移動端末１２０に対する所定の無線通信サービスが所定の無線エリア内で適用される場合に、移動端末１３０に対する所定の無線通信サービスも所定の無線エリア内で提供されるようにしてもよい。これにより、移動端末１２０が所定の無線エリアで提供を受けた所定の無線通信サービスを、移動端末１３０が同じ無線エリアで受けることができる。
【００２９】
このように、実施の形態１にかかる移動通信システム１００によれば、移動端末１２０が所定の条件を満たした場合に、移動端末１２０だけではなく移動端末１３０にも無線通信サービスを提供する。これにより、移動端末１２０および移動端末１３０の各ユーザに対するプレミアム感を向上させることができる。
【００３０】
たとえば、移動端末１２０および移動端末１３０に対して同じ無線通信サービスを提供することで、移動端末１３０のユーザに対するプレミアム感をさらに向上させることができる。また、移動端末１３０は、移動端末１２０が所定の条件を満足したことを検出部１１１が検出するよりも前に移動端末１２０と関連付けがなされている。これにより、移動端末１２０が所定の条件を満足したことが検出部１１１によって検出された場合に移動端末１３０に対して無線通信サービスを提供することが可能になる。
【００３１】
また、無線通信制御部１１２が移動端末１２０に対して提供する所定の無線通信サービスは、たとえば静止画または動画像などのサービスコンテンツの提供である。これにより、提供されるサービスコンテンツ自体にプレミアム感を付加することが可能になる。
【００３２】
また、暗号化処理が施されて放送される静止画または動画像のコンテンツ情報について暗号の復号を行う際に用いられる鍵情報を移動端末１２０または移動端末１３０に対して送信する。これにより、サービスコンテンツの提供を受ける資格がないユーザは、サービスコンテンツを受信したとしても復号することができないため、サービスコンテンツのプレミアム感をさらに向上させることができる。
【００３３】
また、移動端末１２０のユーザが所定の無線エリアで提供を受けた所定の無線通信サービスを、移動端末１３０のユーザが同じ無線エリアで受けることができるようにすることで、特定の無線エリアを訪れたユーザに対するプレミアム感を向上させることができる。
【００３４】
また、検出部１１１における所定の条件を、移動端末が過去において特定エリアに位置していたこととすることで、特定エリアを訪れたことがあるユーザに対して無線通信サービスを提供することができる。または、検出部１１１における所定の条件を、移動端末が過去において特定エリアに位置していた回数が所定回数以上であることとすることで、特定エリアを何度も訪れるユーザに対して無線通信サービスを提供することができる。
【００３５】
（実施の形態２）
図２は、実施の形態２にかかる移動通信システムの構成を示すブロック図である。図２に示すように、実施の形態２にかかる移動通信システム２００は、通信装置２１０と、移動端末２２０と、を含んでいる。通信装置２１０と移動端末２２０は無線アクセスにより互いに通信可能である。または、通信装置２１０と移動端末２２０は、他の通信装置（たとえば図１０のゲート１０１０）を介して互いに通信可能であってもよい。通信装置２１０は無線通信におけるネットワーク側装置である。
【００３６】
通信装置２１０は、通信部２１１と、管理部２１２と、履歴データベース２１３（履歴ＤＢ）と、判定部２１４と、コンテンツ管理部２１５と、送信部２１６と、を備えている。通信部２１１は、移動端末２２０との間で移動通信を行う機能を有する。また、通信部２１１は、特定エリア内への移動端末２２０の進入を検知する機能を有する（検知部）。
【００３７】
通信部２１１は、特定エリア内への移動端末２２０の進入を検知すると、移動端末２２０に対して履歴パラメータの要求信号を送信する。そして、通信部２１１は、要求信号に応じて移動端末２２０から送信された履歴パラメータを受信する。通信部２１１は、受信した移動端末２２０の履歴パラメータを管理部２１２へ出力する。履歴パラメータには、たとえば、移動端末２２０に割り当てられたユーザＩＤと、移動端末２２０が進入したエリアを示すエリアＩＤと、が含まれている。
【００３８】
管理部２１２は、通信部２１１から出力された履歴パラメータに基づいて、ユーザＩＤ、グループＩＤおよび在圏フラグを管理する。具体的には、管理部２１２は、ユーザＩＤに関する情報を管理するユーザ管理部２１２ａと、グループＩＤに関する情報を管理するグループ管理部２１２ｂと、を備えている。
【００３９】
ユーザＩＤは、移動端末１３０を含む各移動端末にそれぞれ割り当てられた識別情報である。グループＩＤは、各ユーザＩＤをグループ化するＩＤである。在圏フラグは、ユーザＩＤと対応付けられており、ユーザＩＤが示す移動端末がサービスを享受可能な特定エリアに位置しているか否かを示す情報である。
【００４０】
また、管理部２１２は、通信部２１１から出力された履歴パラメータに含まれるユーザＩＤを判定部２１４へ出力する。管理部２１２は、通信部２１１から出力された履歴パラメータに基づいて在圏フラグを更新する。具体的には、管理部２１２は、履歴パラメータに含まれるエリアＩＤがサービスを享受可能な特定エリアである場合に、履歴パラメータに含まれるユーザＩＤに対応する在圏フラグを「在圏」に設定する。
【００４１】
また、管理部２１２は、履歴パラメータに含まれるエリアＩＤがサービスを享受可能なセル内でない場合に、履歴パラメータに含まれるユーザＩＤに対応する在圏フラグを「非在圏」に設定する。また、管理部２１２は、各ユーザまたは各グループへのサービス提供の履歴や、サービス提供の条件となる履歴情報を履歴データベース２１３に保存する。また、履歴データベース２１３は通信部２１１による検知結果を示す履歴情報を保存する。
【００４２】
判定部２１４は、管理部２１２から出力されたユーザＩＤに対応付けられた履歴情報を履歴データベース２１３から取得し、ユーザＩＤに対応付けられた履歴情報が所定の条件を満たすか否かを判定する。履歴情報が所定の条件を満たす場合は、判定部２１４は、管理部２１２から出力されたユーザＩＤをコンテンツ管理部２１５へ出力する。
【００４３】
また、このとき、判定部２１４は、グループ管理部２１２ｂによって保存されているグループ情報を取得し、管理部２１２から出力されたユーザＩＤと同じグループに含まれるユーザＩＤを抽出する。そして、判定部２１４は、ユーザ管理部２１２ａによって保存されているユーザ情報（たとえば図４参照）を取得し、検索したユーザＩＤのうちの在圏フラグが「在圏」となっているユーザＩＤを抽出する。判定部２１４は、抽出されたユーザＩＤをコンテンツ管理部２１５へ出力する。
【００４４】
コンテンツ管理部２１５は、移動端末へ提供するためのサービスコンテンツを保存している。コンテンツ管理部２１５は、判定部２１４から出力されたユーザＩＤとともに、保存しているサービスコンテンツを送信部２１６へ出力する。また、コンテンツ管理部２１５は、サービスコンテンツを暗号化して送信部２１６へ出力してもよい。
【００４５】
送信部２１６は、コンテンツ管理部２１５から出力されたサービスコンテンツをデジタル処理して移動端末２２０へ送信する。サービスコンテンツを移動端末２２０に送信する無線媒体には、たとえばデジタル放送、無線ＬＡＮ（Ｌｏｃａｌ  Ａｒｅａ  Ｎｅｔｗｏｒｋ：構内通信網）または移動通信などを用いる。
【００４６】
移動端末２２０は、通信部２２１と、受信部２２２と、再生部２２３と、を備えている。通信部２２１は、通信装置２１０との間で移動通信を行う機能を有する。通信部２２１は、通信装置２１０から履歴パラメータの要求信号を受信すると、移動端末２２０のユーザＩＤおよびエリアＩＤを含む履歴パラメータを通信装置２１０へ送信する。
【００４７】
受信部２２２は、通信装置２１０から無線を介して送信されたサービスコンテンツを受信する。受信部２２２は、受信したサービスコンテンツを再生部２２３へ出力する。再生部２２３は、受信部２２２から出力されたサービスコンテンツをユーザに対して再生する。また、再生部２２３は、サービスコンテンツが暗号化されている場合は、サービスコンテンツの復号処理を行ってから再生する。
【００４８】
ここでは、通信部２１１、管理部２１２、履歴データベース２１３、判定部２１４、コンテンツ管理部２１５および送信部２１６を通信装置が備える構成について説明した。これに対して、通信部２１１、管理部２１２、履歴データベース２１３、判定部２１４、コンテンツ管理部２１５および送信部２１６を複数の通信装置に分散して設けてもよい。
【００４９】
図３は、図２に示した移動通信システムの動作の一例を示すシーケンス図である。図３に示すように、まず、移動端末２２０が、履歴パラメータを通信装置２１０へ送信する（ステップＳ３０１）。つぎに、通信装置２１０が、移動端末２２０の履歴情報を取得する（ステップＳ３０２）。つぎに、通信装置２１０が、ステップＳ３０２によって取得された履歴情報について条件判定を行う（ステップＳ３０３）。
【００５０】
ステップＳ３０３においては、履歴情報が条件を満たしたものとする。つぎに、通信装置２１０が、サービスコンテンツを移動端末２２０へ送信する（ステップＳ３０４）。つぎに、移動端末２２０が、ステップＳ３０４によって送信されたサービスコンテンツを再生し（ステップＳ３０５）、一連の処理を終了する。
【００５１】
図４は、図２に示した管理部を具体的に示す図である。図４に示すように、管理部２１２のユーザ管理部２１２ａは、ユーザ情報として、複数のユーザＩＤごとに、グループＩＤ、在圏フラグ、エリアＩＤおよび時刻を対応付けて記憶している。グループＩＤは、ユーザＩＤが属するグループのＩＤである。ユーザＩＤがグループに属していない場合は、ユーザＩＤに対応するグループＩＤには、グループ未所属の旨の情報が設定される。
【００５２】
在圏フラグは、ユーザＩＤが示す移動端末が、無線通信サービスの提供を受けることができる特定エリア内に位置しているか否かを示すフラグである。エリアＩＤは、ユーザＩＤが示す移動端末がいずれの特定エリアに位置しているかを示すＩＤである。時刻は、ユーザＩＤが示す移動端末が特定エリア内に進入した時刻を示している。
【００５３】
グループ管理部２１２ｂは、グループ情報として、複数のグループＩＤごとに、複数のユーザＩＤを対応付けて記憶している。グループＩＤに対応付けられた複数のユーザＩＤ（＃０〜＃ｎ）は、グループＩＤが示すグループに属している複数の移動端末のユーザＩＤを示している。また、複数のユーザＩＤのそれぞれには、コンテンツＩＤ（＃０〜＃ｎ）、在圏フラグおよび有効／無効フラグが対応付けられている。
【００５４】
コンテンツＩＤは、ユーザＩＤが示す移動端末が提供を受けることができるサービスコンテンツを示している。在圏フラグは、ユーザＩＤが示す移動端末がいずれかの特定エリアに位置しているか否かを示している。有効／無効フラグは、コンテンツＩＤが示すサービスコンテンツが有効であるか否かを示している。
【００５５】
図５は、図２に示した履歴データベースを具体的に示す図である。履歴データベース２１３は、複数のユーザＩＤのそれぞれに対応付けて、たとえばテーブル５００のようなテーブルを保存している。テーブル５００は、ユーザＩＤ：Ｘに対応付けられている。テーブル５００は、行動履歴５１０とサービス提供履歴５２０とを含んでいる。
【００５６】
行動履歴５１０には、複数の特定エリアＩＤ（＃Ａ〜＃Ｚ）と、各特定エリアＩＤに対応付けられた有効／無効フラグ、進入回数および進入時刻＃１，＃２，…＃ｎと、が含まれている。行動履歴５１０における進入回数は、ユーザＩＤ：Ｘが示す移動端末が、対応する特定エリアＩＤが示す特定エリアへ進入した回数を示している。
【００５７】
進入時刻は、ユーザＩＤ：Ｘが示す移動端末が、対応する特定エリアＩＤが示す特定エリアへ進入した時刻を示している。進入時刻は、進入回数の分だけ保存される（進入回数＝ｎ）。行動履歴５１０における有効／無効フラグは、移動端末が特定エリアへ進入した場合の進入回数の計数の有効／無効を示している。
【００５８】
たとえば、行動履歴５１０における有効／無効フラグは、初期状態で「有効」に設定される。そして、移動端末が特定エリアへ進入し、進入回数が１回計数されると、有効／無効フラグが「無効」に設定される。有効／無効フラグが「無効」の場合は、移動端末が特定エリアへ進入しても進入回数を計数しないようにする。
【００５９】
また、有効／無効フラグは、一定期間ごとに初期化されて「有効」になる。一定期間とは、たとえば１日である。たとえば、毎日０時に有効／無効フラグが初期化されるようにする。これにより、移動端末が特定エリアへ進入した日に、移動端末が特定エリアに長時間とどまったり再度進入したりしても進入回数はそれ以上計数されない。
【００６０】
また、翌日以降に移動端末が再度特定エリアへ進入すれば、進入回数がさらに計数されることになる。このため、進入回数は、一定期間ごとに定められた所定回数を上限として計数される。たとえば一定期間を１日に設定し、所定回数を１回に設定した場合は、進入回数は、１日１回を上限として計数されることになる。なお、一定期間は、１日に限らず、所定日数、所定週間、所定月数、所定年数などであってもよい。
【００６１】
サービス提供履歴５２０には、複数のコンテンツＩＤ（＃Ａ〜＃Ｚ）と、各コンテンツＩＤに対応付けられた有効／無効フラグ、提供回数および提供時刻＃１，＃２，…＃ｎと、が含まれている。サービス提供履歴５２０における有効／無効フラグは、対応するコンテンツＩＤが示すサービスコンテンツの提供の有効／無効を示している。
【００６２】
サービス提供履歴５２０における提供回数は、ユーザＩＤ：Ｘが示す移動端末が、対応するコンテンツＩＤが示すサービスコンテンツの提供を受けた回数を示している。提供時刻は、ユーザＩＤ：Ｘが示す移動端末が、対応するコンテンツＩＤが示すサービスコンテンツの提供を受けた時刻を示している。提供時刻は、進入回数の分だけ保存される（進入回数＝ｎ）。サービス提供履歴５２０は、移動端末へサービスコンテンツを提供するときに、たとえばコンテンツ管理部２１５によって更新される。
【００６３】
なお、進入回数を一定期間ごとに定められた所定回数を上限として計数するために、行動履歴５１０における有効／無効フラグを一定期間ごとに初期化する方法について説明したが、このような方法に限られない。たとえば、移動端末が特定エリアへ進入した場合に、移動端末が前回特定エリアへ進入した時刻を取得する。そして、取得した時刻に対して現在時刻が所定期間経過した時刻である場合は進入回数を新たに計数する。
【００６４】
一方、取得した時刻に対して現在時刻が所定期間経過した時刻でない場合は進入回数を新たに計数しないようにする。たとえば、取得した時刻から現在時刻までの期間が所定期間（たとえば２４時間）以上である場合は進入計数を新たに計数し、所定期間未満である場合は進入回数を新たに計数しないようにする。
【００６５】
または、取得した時刻の所定の時間単位（たとえば日）に対して現在時刻の所定の時間単位（たとえば日）が変化している場合は進入計数を新たに計数し、変化していない場合は進入回数を新たに計数しないようにする。これにより、進入回数を一定期間ごとに定められた所定回数を上限として計数することができる。なお、所定の時間単位は、日に限らず、午前／午後、週、月、年などであってもよい。
【００６６】
図６は、サービスコンテンツの提供方法の一例を示すシーケンス図である。ここでは、通信装置２１０が移動端末２２０に提供するサービスコンテンツが、暗号化処理が施されて放送される静止画または動画像のコンテンツ情報であるとする。まず、通信装置２１０が、コンテンツ情報の復号のための鍵情報を格納した通信装置２１０のメモリ上の位置を示すＵＲＬ（Ｕｎｉｆｏｒｍ  Ｒｅｓｏｕｒｃｅ  Ｌｏｃａｔｏｒ）を移動端末２２０へ送信する（ステップＳ６０１）。
【００６７】
ステップＳ６０１において通信装置２１０が移動端末２２０へ送信するＵＲＬは、通信装置２１０のメモリにおいて、移動端末２２０のユーザＩＤと対応付けて記憶される。つぎに、移動端末２２０が、ステップＳ６０１によって送信されたＵＲＬをユーザに表示し、表示したＵＲＬへのアクセス要求をユーザから受け付ける（ステップＳ６０２）。
【００６８】
つぎに、移動端末２２０が、ステップＳ６０２によって受け付けたアクセス要求にしたがって、ステップＳ６０１によって送信されたＵＲＬにアクセスする（ステップＳ６０３）。つぎに、通信装置２１０が、ユーザＩＤを通知すべき旨のユーザＩＤ要求を移動端末２２０へ送信する（ステップＳ６０４）。つぎに、移動端末２２０が、ステップＳ６０４によって送信されたユーザＩＤ要求にしたがって、移動端末２２０のユーザＩＤを通信装置２１０へ送信する（ステップＳ６０５）。
【００６９】
つぎに、通信装置２１０が、ステップＳ６０５によって送信されたユーザＩＤを認証する（ステップＳ６０６）。ステップＳ６０６においては、ステップＳ６０５によって送信されたユーザＩＤが、ステップＳ６０１によって送信したＵＲＬと通信装置２１０のメモリにおいて対応付けて記憶されているか否かによって認証を行う。
【００７０】
つぎに、通信装置２１０が、サービスコンテンツの復号のための鍵情報を移動端末２２０へ送信する（ステップＳ６０７）。以上のステップにより、通信装置２１０は、コンテンツ情報の復号のための鍵情報を移動端末２２０へ送信する。移動端末２２０は、放送されるコンテンツ情報を受信し、通信装置２１０から送信された鍵情報によってコンテンツ情報を復号することで、サービスコンテンツの提供を受けることができる。
【００７１】
図７は、図６に示した鍵情報の一例を示す図である。図７に示すように、図６のステップＳ６０７によって通信装置２１０から移動端末２２０へ送信される鍵情報７００は、鍵７１０と、コンテンツＩＤ７２０と、ＣＨ番号７３０と、を含んでいる。鍵７１０は、暗号化されたコンテンツ情報を復号するアルゴリズムを制御するための値である。
【００７２】
コンテンツＩＤ７２０は、コンテンツ情報の識別情報である。ＣＨ番号７３０は、コンテンツ情報が放送されるチャネルの識別情報である。移動端末２２０は、ＣＨ番号７３０が示すチャネルから、コンテンツＩＤ７２０が示すコンテンツ情報を受信し、受信したコンテンツ情報を鍵７１０によって復号する。これにより、移動端末２２０は、通信装置２１０からサービスコンテンツの提供を受けることができる。
【００７３】
図８は、図２に示した通信装置の動作の一例を示すフローチャートである。図８に示すように、まず、通信部２１１が、特定エリア内に移動端末が進入したか否かを判断し（ステップＳ８０１）、移動端末が特定エリア内に進入するまで待つ（ステップＳ８０１：Ｎｏのループ）。ステップＳ８０１において進入を検出する移動端末は、通信装置２１０によるサービスコンテンツに加入した移動端末であり、たとえば移動端末２２０である（以下、「移動端末Ａ」と称する。）
【００７４】
ステップＳ８０１において、移動端末Ａが特定エリア内に進入すると（ステップＳ８０１：Ｙｅｓ）、通信部２１１が、移動端末Ａから履歴パラメータを受信する（ステップＳ８０２）。つぎに、管理部２１２が、ステップＳ８０２によって受信された履歴パラメータに基づいて、移動端末Ａの在圏フラグを「在圏」に設定する（ステップＳ８０３）。
【００７５】
つぎに、管理部２１２が、履歴データベース２１３から移動端末Ａに関する履歴情報を取得する（ステップＳ８０４）。つぎに、ステップＳ８０４によって取得された履歴情報が所定の条件を満たすか否かを判断する（ステップＳ８０５）。履歴情報が所定の条件を満たさない場合（ステップＳ８０５：Ｎｏ）は、一連の処理を終了する。
【００７６】
ステップＳ８０５において、履歴情報が所定の条件を満たす場合（ステップＳ８０５：Ｙｅｓ）は、送信部２１６が、移動端末Ａへサービスコンテンツを提供する（ステップＳ８０６）。つぎに、管理部２１２が、ユーザ管理部２１２ａおよびグループ管理部２１２ｂを参照し、移動端末Ａと同じグループで特定エリア内に位置する他の移動端末（以下、「移動端末Ｂ」と称する。）が存在するか否かを判断する（ステップＳ８０７）。
【００７７】
ステップＳ８０７において、移動端末Ｂが存在しない場合（ステップＳ８０７：Ｎｏ）は、ステップＳ８０９へ進んで処理を続行する。移動端末Ｂが存在する場合（ステップＳ８０７：Ｙｅｓ）は、送信部２１６が、移動端末Ｂへサービスコンテンツを提供する（ステップＳ８０８）。つぎに、管理部２１２が、移動端末Ａのサービス提供履歴（図５のサービス提供履歴５２０参照）を更新し（ステップＳ８０９）、一連の処理を終了する。
【００７８】
ステップＳ８０８によって移動端末Ｂへサービスコンテンツを提供した場合は、ステップＳ８０９において移動端末Ｂのサービス提供履歴も更新する。なお、ここでは、移動端末Ａが所定の条件を満たしていると判断した時点で移動端末Ａへサービスコンテンツを提供することとしたが、移動端末Ａが所定の条件を満たしていると判断した場合にその旨を移動端末Ａへ通知してもよい。
【００７９】
そして、サービスコンテンツの提供の要求が移動端末Ａから通信装置２１０へ送信された場合に、通信装置２１０が移動端末Ａへサービスコンテンツを提供するようにしてもよい。これにより、移動端末Ａのユーザが希望しないサービスコンテンツが自動的に移動端末Ａへ送信されることを回避することができる。
【００８０】
このように、実施の形態２にかかる移動通信システム２００によれば、実施の形態１にかかる移動通信システム１００と同様の効果を奏する。また、検出部１１１における所定の条件を、移動端末が過去において特定エリアに位置していた回数が所定回数以上であることとし、移動端末が特定エリアに位置していた回数は、一定期間ごとに定められた所定回数を上限として計数されることとする。
【００８１】
これにより、移動端末が特定エリアに長時間とどまったり、移動端末の位置登録がある期間内に何度もなされたり、ある期間内に何度も特定エリアに進入したりしても、ユーザが特定エリアを訪れた実際の回数を適切に計数することができる。
【００８２】
（実施例１）
図９は、移動通信システムの実施例１を示す図である。通信装置２１０は、移動端末２２０との間で移動通信網を形成する基地局であるとする。移動端末２２０は、通信装置２１０に対して無線通信網を維持するための位置登録を行う。通信装置２１０は、移動端末２２０の位置登録を行う際に、移動端末２２０が特定エリア９１０内に位置しているか否かを判断することで、特定エリア９１０内への移動端末２２０の進入を検知する。
【００８３】
通信装置２１０は、特定エリア９１０内への移動端末２２０の進入を検知すると、移動端末２２０が所定の条件を満たしているか否かを判定し、所定の条件を満たしている場合には移動端末２２０へ無線通信サービスを提供する。また、移動端末２２０とは異なる移動端末９２０のユーザＩＤは、通信装置２１０のグループ管理部２１２ｂにおいて、移動端末２２０のユーザＩＤと同一のグループに属している。
【００８４】
通信装置２１０は、移動端末２２０が所定の条件を満たしている場合は、移動端末９２０に対しても無線通信サービスを提供する。また、通信装置２１０は、移動端末９２０が特定エリア９１０内に位置している場合に移動端末９２０へ無線通信サービスを提供し、移動端末９２０が特定エリア９１０内に位置していない場合には移動端末９２０へ無線通信サービスを提供しないようにしてもよい。
【００８５】
これにより、移動端末９２０のユーザは、移動端末２２０のユーザとともに特定エリア９１０を訪れることで、移動端末２２０のユーザと同様の無線通信サービスの提供を受けることができる。これにより、移動端末２２０のユーザに対するプレミアム感を向上させることができる。また、移動端末９２０へ提供する無線通信サービスは、移動端末２２０へ提供する無線通信サービスと異なるものにすることにより、移動端末２２０のユーザを移動端末９２０のユーザに対して差別化してもよい。これにより、所定の条件を満たした移動端末２２０のユーザに対するプレミアム感をさらに向上させることができる。
【００８６】
または、通信装置２１０は、移動端末９２０が特定エリア９１０内に位置していない場合にも、移動端末９２０へ無線通信サービスを提供するようにしてもよい。これにより、移動端末９２０のユーザは、移動端末２２０が所定の条件を満たすことで、移動端末２２０のユーザと同様の無線通信サービスの提供を受けることができる。これにより、移動端末２２０のユーザに対するプレミアム感を向上させることができる。
【００８７】
（実施例２）
図１０は、移動通信システムの実施例２を示す図である。ゲート１０１０は、特定エリア９１０内へ進入する人が通過する位置に設けられている。たとえば、ゲート１０１０は、テーマパークなどの特定エリア９１０の入口付近に設けられている。ゲート１０１０は、通信装置２１０との間で通信を行う機能を有している。
【００８８】
移動端末２２０がゲート１０１０を通過すると、ゲート１０１０は、移動端末２２０の識別情報（たとえばユーザＩＤ）を読み取り、読み取った識別情報を通信装置２１０へ送信する。通信装置２１０は、移動端末２２０の識別情報をゲート１０１０から受信することで、特定エリア内への移動端末２２０の進入を検知する。この他の通信装置２１０の動作は、実施例１（図９参照）と同様であるため説明を省略する。
【００８９】
（実施例３）
図１１は、移動通信システムの実施例３を示す図である。移動端末２２０にはＧＰＳ（Ｇｌｏｂａｌ  Ｐｏｓｉｔｉｏｎｉｎｇ  Ｓｙｓｔｅｍ：全地球測位システム）機能が搭載されていてもよい。ＧＰＳ衛星１１１０は、移動端末２２０の位置を取得し、取得した位置情報を通信装置２１０へ送信するようにする。
【００９０】
通信装置２１０のメモリには、特定エリア９１０を示す位置情報が記憶されている。通信装置２１０は、ＧＰＳ衛星１１１０から送信された位置情報が、通信装置２１０のメモリに記憶された位置情報に含まれているかを判断することにより、特定エリア９１０内への移動端末２２０の進入を検知する。
【００９１】
または、移動端末２２０がＧＰＳ機能により移動端末２２０の位置情報を取得し、取得した位置情報を通信装置２１０へ送信するようにしてもよい。ＧＰＳ機能により取得した移動端末２２０の位置情報を用いることで、特定エリア９１０内への移動端末２２０の進入を精度よく検知することができる。この他の通信装置２１０の動作は、実施例１（図９参照）と同様であるため説明を省略する。
【００９２】
（変形例１）
図１２は、図８に示した動作の変形例１を示すフローチャートである。図１２において、ステップＳ１２０１〜Ｓ１２０５は、図８に示したステップＳ８０１〜Ｓ８０５と同様であるため説明を省略する。ステップＳ１２０５において、履歴情報が所定の条件を満たさない場合（ステップＳ１２０５：Ｎｏ）は、管理部２１２が、履歴データベース２１３から移動端末Ａと同じグループに属する移動端末に関する各履歴情報を取得する（ステップＳ１２０６）。つぎに、判定部２１４が、ステップＳ１２０６によって取得された各履歴情報のいずれかが所定の条件を満たすか否かを判断する（ステップＳ１２０７）。
【００９３】
ステップＳ１２０７において、各履歴情報のいずれもが所定の条件を満たさない場合（ステップＳ１２０７：Ｎｏ）は、一連の処理を終了する。各履歴情報のいずれかが所定の条件を満たす場合（ステップＳ１２０７：Ｙｅｓ）は、ステップＳ１２０８へ移行して処理を続行する。ステップＳ１２０８〜Ｓ１２１１は、図８に示したステップＳ８０６〜Ｓ８０９と同様であるため説明を省略する。
【００９４】
このように、移動端末Ａが所定の条件を満たしていない場合は、移動端末Ａとあらかじめ関連付けられた他の移動端末が所定の条件を満たしたことを検出してもよい。この場合に、移動端末Ａとあらかじめ関連付けられた他の移動端末が所定の条件を満たしている場合は、移動端末Ａに無線通信サービスを提供する。これにより、関連付けられた各移動端末の各ユーザグループに対するプレミアム感を向上させることができる。
【００９５】
（変形例２）
図１３は、図８に示した動作の変形例２を示すフローチャートである。ここでは、所定の条件が、移動端末が過去において特定エリアに位置していた回数が所定回数以上であることであるとする。図１３において、ステップＳ１３０１〜Ｓ１３０４は、図８に示したステップＳ８０１〜Ｓ８０４と同様であるため説明を省略する。
【００９６】
ステップＳ１３０４の後、判定部２１４が、ステップＳ１３０４によって取得された履歴情報に基づいて、移動端末Ａの特定エリアへの進入回数が所定回数以上であるか否かを判定する（ステップＳ１３０５）。進入回数が所定回数以上である場合（ステップＳ１３０５：Ｙｅｓ）は、ステップＳ１３０８へ移行して処理を続行する。
【００９７】
ステップＳ１３０５において、進入回数が所定回数以上でない場合（ステップＳ１３０５：Ｎｏ）は、判定部２１４が、履歴データベース２１３から移動端末Ａと同じグループに属する移動端末に関する各履歴情報を取得する（ステップＳ１３０６）。つぎに、判定部２１４が、ステップＳ１３０６によって取得された各履歴情報に基づいて、移動端末Ａと、移動端末Ａと同じグループに属する移動端末と、の特定エリアへの合計進入回数が所定回数以上であるか否かを判断する（ステップＳ１３０７）。
【００９８】
ステップＳ１３０７において、特定エリアへの合計進入回数が所定回数以上でない場合（ステップＳ１３０７：Ｎｏ）は、一連の処理を終了する。特定エリアへの合計進入回数が所定回数以上である場合（ステップＳ１３０７：Ｙｅｓ）は、ステップＳ１３０８へ移行して処理を続行する。ステップＳ１３０８〜Ｓ１３１１は、図８に示したステップＳ８０６〜Ｓ８０９と同様であるため説明を省略する。
【００９９】
このように、移動端末Ａが所定の条件を満たしていない場合は、移動端末Ａと、移動端末Ａとあらかじめ関連付けられた他の移動端末と、が過去において特定エリアに位置していた合計回数が所定回数以上であるか否かを検出してもよい。この場合に、合計回数が所定回数以上である場合は移動端末Ａに無線通信サービスを提供する。これにより、関連付けられた各移動端末のユーザグループに対するプレミアム感を向上させることができる。
【０１００】
（変形例３）
図１４は、図１に示した移動通信システムの変形例を示すブロック図である。図１４において、図１に示した構成と同様の構成については同一の符号を付して説明を省略する。図１においては、無線通信制御部１１２が、検出部１１１から検出信号が出力されると移動端末１３０（図１参照）に対して無線通信サービスを提供する構成について説明したが、移動端末１３０に対して無線通信サービスを提供しないようにしてもよい。
【０１０１】
この場合は、たとえば、検出部１１１における所定の条件を、移動端末１２０が過去において特定エリアに位置していたことであることとする。これにより、移動端末１２０のユーザは、過去に特定エリアを訪れていることにより、無線通信制御部１１２による無線サービスの提供を受けることができるようになる。
【０１０２】
このため、移動端末１２０のユーザに対するプレミアム感を向上させることができる。移動端末１２０が所定の条件を満たした場合に移動端末１３０に無線通信サービスを提供しないようにすること以外は、図１に示した移動通信システム１００と同様である。
【０１０３】
以上説明したように、開示の移動通信システム、移動通信方法、通信装置および移動端末によれば、第１の移動端末が所定の条件を満たした場合に、第１の移動端末だけではなく第２の移動端末にも無線通信サービスを提供する。これにより、第１の移動端末および第２の移動端末の各ユーザに対するプレミアム感を向上させることができる。このため、ユーザの嗜好を刺激するサービスを提供することができる。
【０１０４】
また、開示の移動通信システム、移動通信方法、通信装置および移動端末（図１４参照）によれば、過去において特定エリアに位置していたことを検出した移動端末に対して無線通信サービスを提供する。好ましくは、過去において特定エリアに所定回数以上位置していた移動端末に対して無線通信サービスを提供する。これにより、移動端末のユーザに対するプレミアム感を向上させることができる。このため、ユーザの嗜好を刺激するサービスを提供することができる。
【０１０５】
なお、上述した各実施の形態、実施例および変形例においては、無線通信サービスの一例としてサービスコンテンツの提供を挙げたが、無線通信サービスはサービスコンテンツの提供に限られない。たとえば、特定エリアがテーマパークなどであり、無線通信サービスがテーマパークの割引チケットの提供などであってもよい。または、無線通信サービスは、ネットワーク上の特定のコミュニティ（たとえば特定エリアにいる移動端末同士のコミュニティなど）への参加許可などであってもよい。
【０１０６】
また、特定エリアを複数設定するとともに、所定の条件を、移動端末が過去において複数の特定エリアのうちのいずれかに位置していたことであることとしてもよい。または、所定の条件を、移動端末が過去において複数の特定エリアのうちのいずれかに位置していた回数が所定回数以上であることとしてもよい。
【０１０７】
これにより、これらの特定エリアのうちのいずれかを訪れたユーザに対するプレミアム感を向上させることができる。たとえば、同系列の企業が経営する複数のテーマパークを特定エリアに設定することで、同系列の企業が経営するテーマパークを利用するユーザを優遇するなどの柔軟なサービスが可能になる。
【０１０８】
また、特定エリアを複数設定するとともに、所定の条件を、複数の特定エリアのうちの、移動端末が過去において位置していた特定エリアの数が所定数以上であることとしてもよい。これにより、これらの特定エリアの多くを訪れたユーザに対するプレミアム感を向上させることができる。たとえば、同系列の企業が経営する複数のテーマパークを特定エリアに設定することで、同系列の企業が経営するテーマパークを多く利用するユーザを優遇するなどの柔軟なサービスが可能になる。
【０１０９】
また、移動端末が過去において位置していた条件の対象の特定エリアと、移動端末に対して無線通信サービスの提供を行う際の特定エリアとは異なっていてもよい。たとえば、通信装置は、移動端末が第１の特定エリアに進入したことを検知すると、移動端末が過去において第２の特定エリアに位置していたか否かを判定する。そして、第２の特定エリアに位置していた場合は移動端末に対して無線通信サービスを提供する。上述した実施の形態に関し、さらに以下の付記を開示する。
【０１１０】
（付記１）移動通信システムにおいて、
第１の移動端末が所定の条件を満たしたことを検出する検出部と、
前記検出部が前記所定の条件を満たしたことを検出すると、前記第１の移動端末に対して所定の無線通信サービスを提供する無線通信制御部と、を備え、
前記無線通信制御部は、前記検出部が前記所定の条件を満たしたことを検出すると、前記第１の移動端末とは異なる第２の移動端末に対して所定の無線通信サービスを提供することを特徴とする移動通信システム。
【０１１１】
（付記２）前記第２の移動端末に対して提供する無線通信サービスは、前記第１の移動端末に対して提供する無線通信サービスと同じ無線通信サービスであることを特徴とする付記１に記載の移動通信システム。
【０１１２】
（付記３）前記第２の移動端末は、前記第１の移動端末が所定の条件を満足したことを前記検出部が検出するよりも前に前記第１の移動端末と関連付けがなされていることを特徴とする付記１に記載の移動通信システム。
【０１１３】
（付記４）前記第１の移動端末に対して提供する所定の無線通信サービスまたは前記第２の移動端末に対して提供する無線通信サービスは、静止画または動画像のコンテンツ情報の配信であることを特徴とする付記１に記載の移動通信システム。
【０１１４】
（付記５）前記無線通信制御部は、暗号化処理が施されて放送される静止画または動画像のコンテンツ情報について暗号の復号を行う際に用いられる鍵情報を前記第１の移動端末または前記第２の移動端末に対して送信することで、前記第１の移動端末または前記第２の移動端末に対して前記所定の無線通信サービスの提供を行うことを特徴とする付記１に記載の移動通信システム。
【０１１５】
（付記６）前記第１の移動端末に対する前記所定の無線通信サービスが所定の無線エリア内で適用される場合に、前記第２の移動端末に対する前記所定の無線通信サービスも前記所定の無線エリア内で提供されることを特徴とする付記１に記載の移動通信システム。
【０１１６】
（付記７）前記第１の移動端末と前記第２の移動端末とを構成に含むことを特徴とする付記１に記載の移動通信システム。
【０１１７】
（付記８）前記所定の条件は、前記第１の移動端末が過去において特定エリアに位置していたことであることを特徴とする付記１に記載の移動通信システム。
【０１１８】
（付記９）前記所定の条件は、前記第１の移動端末が過去において前記特定エリアに位置していた回数が所定回数以上であることを特徴とする付記８に記載の移動通信システム。
【０１１９】
（付記１０）前記回数は、一定期間ごとに定められた所定回数を上限として計数されることを特徴とする付記９に記載の移動通信システム。
【０１２０】
（付記１１）前記特定エリアは複数設定され、前記所定の条件は、前記第１の移動端末が過去において複数の前記特定エリアのうちのいずれかに位置していたことであることを特徴とする付記８に記載の移動通信システム。
【０１２１】
（付記１２）前記特定エリアは複数設定され、前記所定の条件は、前記特定エリアのうちの、前記第１の移動端末が過去において位置していた特定エリアが所定数以上であることを特徴とする付記８に記載の移動通信システム。
【０１２２】
（付記１３）前記第１の移動端末が前記特定エリアに位置していることを検知する検知部と、
前記検知部による検知結果を示す履歴情報を保存する履歴データベースと、を備え、
前記検出部は、前記履歴データベースによって保存された履歴情報に基づいて前記第１の移動端末が過去において前記特定エリアに位置していたことを検出することを特徴とする付記８に記載の移動通信システム。
【０１２３】
（付記１４）前記検出部は、前記第１の移動端末が前記所定の条件を満たしたことが検出部によって検出されない場合は、前記第１の移動端末とあらかじめ関連付けられた移動端末が前記所定の条件を満たしたことを検出することを特徴とする付記８に記載の移動通信システム。
【０１２４】
（付記１５）前記所定の条件は、前記第１の移動端末が過去において特定エリアに位置していた回数が所定回数以上であることであり、
前記検出部は、前記第１の移動端末が前記所定の条件を満たしたことが検出部によって検出されない場合は、前記第１の移動端末と、前記第１の移動端末とあらかじめ関連付けられた移動端末と、が過去において前記特定エリアに位置していた合計回数が所定回数以上であるか否かを検出することを特徴とする付記８に記載の移動通信システム。
【０１２５】
（付記１６）移動通信システムにおいて、
移動端末が過去において特定エリアに位置していたことを検出する検出部と、
前記検出部によって前記特定エリアに位置していたことが検出された移動端末に対して所定の無線通信サービスを提供する無線通信制御部と、
を備えることを特徴とする移動通信システム。
【０１２６】
（付記１７）移動通信方法において、
第１の移動端末が所定の条件を満たしたことを検出する検出工程と、
前記検出工程が前記所定の条件を満たしたことを検出すると、前記第１の移動端末に対して所定の無線通信サービスを提供する無線通信制御工程と、を含み、
前記無線通信制御工程では、前記検出工程において前記所定の条件を満たしたことを検出すると、前記第１の移動端末とは異なる第２の移動端末に対して所定の無線通信サービスを提供することを特徴とする移動通信方法。
【０１２７】
（付記１８）通信装置において、
第１の移動端末が所定の条件を満たしたことを検出する検出部と、
前記検出部が前記所定の条件を満たしたことを検出すると、前記第１の移動端末に対して所定の無線通信サービスを提供する無線通信制御部と、を備え、
前記無線通信制御部は、前記検出部が前記所定の条件を満たしたことを検出すると、前記第１の移動端末とは異なる第２の移動端末に対して所定の無線通信サービスを提供することを特徴とする通信装置。
【０１２８】
（付記１９）移動端末において、
前記移動端末が過去において特定エリアに位置していた場合に通信装置から所定の無線通信サービスの提供を受けることを特徴とする移動端末。
【符号の説明】
【０１２９】
１００，２００  移動通信システム
５１０  行動履歴
５２０  サービス提供履歴
７００  鍵情報
９１０  特定エリア
１０１０  ゲート
１１１０  ＧＰＳ衛星
【図１】
2010165085.tif 000003
【図２】
2010165085.tif 000004
【図３】
2010165085.tif 000005
【図４】
2010165085.tif 000006
【図５】
2010165085.tif 000007
【図６】
2010165085.tif 000008
【図７】
2010165085.tif 000009
【図８】
2010165085.tif 000010
【図９】
2010165085.tif 000011
【図１０】
2010165085.tif 000012
【図１１】
2010165085.tif 000013
【図１２】
2010165085.tif 000014
【図１３】
2010165085.tif 000015
【図１４】
2010165085.tif 000016